(57)【要約】【課題】  一般の人々が容易に扱えるような軽量で、しかも水に浮かべて上に乗ることもでき、また掴まった状態で安全に泳ぐこともでき、さらに海や湖や河川などに容易に搬送できる大きさの水上運動用遊具を提供する。【解決手段】  厚さ３が８〜３０ｃｍ、長さ４が１９０〜２１０ｃｍ、幅５が９０〜１１０ｃｍの独立気泡のポリエチレン発泡体からなる上下面対称の板状体２から形成され、板状体２の周辺部の端から７〜９ｍｍの位置の上面から下面に貫通の複数個のロープ径大の孔９を均等間隔に配設し、この複数個の孔９に手で握り得る太さのロープ１０を手で握り得る余裕を持たせて上下交互に通して順次周囲に張りめぐらして形成し、板状体２の角部を面取り部１４を設けて形成したポリエチレン発泡体製の板状体２からなる水上運動用遊具１。【選択図】      図１
0003119335.tif 000002
【実用新案登録請求の範囲】
【請求項１】
厚さ３が８〜３０ｃｍ、長さ４が１９０〜２１０ｃｍ、幅５が９０〜１１０ｃｍの独立気泡のポリエチレン発泡体からなる上下面対称の板状体２から形成され、板状体２の周辺部の端から７〜９ｍｍの位置の上下に貫通の複数個のロープ径大の孔９を均等間隔に配設し、この複数個の孔９に手で握り得る太さのロープ１０を手で握り得る余裕を持たせて上下交互に通して順次張りめぐらして形成したことを特徴とする板状体２からなる水上運動用遊具１。
【請求項２】
独立気泡のポリエチレン発泡体からなる上下面対称の板状体２は単一層の硬さのハードタイプの発泡体６あるいはミディアムタイプの発泡体７から形成したことを特徴とする上記の請求項１に記載の板状体２からなる水上運動用遊具１。
【請求項３】
独立気泡のポリエチレン発泡体からなる上下面対称の板状体２は、上下面側の表層１１を硬さがソフトタイプの発泡体８から形成し、中間層１２を硬さがハードタイプの発泡体６あるいは硬さがミディアムタイプの発泡体７から形成した三層構造の複合体１３からなることを特徴とする請求項１に記載の板状体２からなる水上運動用遊具１。
【請求項４】
独立気泡のポリエチレン発泡体からなる上下面対称の板状体２は角部が面取り部１４に形成されていることを特徴とする請求項１〜３のいずれか１項に記載の板状体２からなる水上運動用遊具１。
【考案の詳細な説明】
【技術分野】
【０００１】
この考案の水上運動用遊具は、海や湖沼や河川などの水に浮かべ、上に乗ってまたは側部に掴まって移動できるマリンスポーツなどとしての水上運動用遊具に関し、特に、これらの複数台を連結して大型とすることの可能な運動用遊具に関する。
【背景技術】
【０００２】
海や湖沼や河川などの水に浮かべて上に乗りあるいは掴まって遊んだり、運動したりして移送できる用具は種々のものが開発されている。最もポピュラーなものとして知られているものに浮輪がある。また、浮輪の変形として塩ビなどからイルカやカメなどの形状やボートの形状に空気で膨らした浮き具がある。しかし、これらは膨らせた形状が変形しやすく、安定性が十分でない。さらに高級なものとしては、例えば、水上スキーとして知られるアクアプレーンがある。これは、モーターボートからトー・ロープと呼ばれる直径５．５〜６．５ミリ、長さは２３メートルの引き綱の先の把手を１本のモノスキーまたは２本のペアスキーに乗った人が手で握って、時速２４〜５８キロのスピードで水上を浮上して走行するものであり、スキー板に競技用とスタンダード型の一般用がある。この一般用のスキー板は長さ１７５センチ、幅１７センチで、合板材・プラスチックなどで造られている。さらに、水泳の練習でばた脚の練習などに使う浮力のある合成樹脂製のビート板あるいはキック・ボードといわれるものが良く知られているが、形状が小さく十分な浮力があるとは言えないものである。
【０００３】
さらに、長さ１．５〜２．７メートルで、幅５０〜６０センチで、厚さ７〜１０センチの木製またはポリウレタンフォーム製のサーフボードに１人で乗って両手でバランスをとりながら波乗りするサーフィン（商標名）が一般的に知られている。このサーフィンに使用するボードは乗る人の身長、体重、経験、サーフィンの種類また個人の好みに応じて選ばれる。
【０００４】
さらに、ボードセーリングすなわちウィンドサーフィンが開発されている。これはヨットと異なり、簡単に持ち運びができ、コストも安いこともあって、急速に若者たちの間に浸透していったマリンスポーツ用具である。このボードセーリングはサーフィンに帆を組み合わせたものである。１９７０年アメリカによって開発・考案され、翌１９７１年ヨーロッパに広まり、日本へは１９７３年に紹介された。ボードの重量は約２８キロ、長さ３．７メートル、幅６０センチほどで、上記のように車で簡単に持ち運びができ、水と風さえあればどこでも楽しめる。１９８３年アメリカで時速５７．０８キロものスピードを記録している。
【０００５】
従来の上記の水上スキーやサーフボードあるいはボードセーリングは広く知られている（例えば、非特許文献１参照。）
【０００６】
しかし、これらの水上スキーやサーフボードあるいはボードセーリングは、競技も行われているように練習と熟練が必要である。一般の人々が気軽に海辺や湖岸などに持ち運び、マリンスポーツなどとして容易に楽しむためには、セーリングや波乗りなどの技術を必要とせず、もっと容易に扱えて安全である水上運動用遊具の開発が求められている。
【０００７】
【非特許文献１】『日本大百科全書』１９９８年、株式会社小学館発行
【考案の開示】
【考案が解決しようとする課題】
【０００８】
本考案は、このような一般の人々が容易に扱え、しかも上に乗ることもでき、また掴まった状態で安全に泳ぐこともでき、さらに海や湖や河川などに容易に搬送できる水上運動用遊具を提供することである。
【課題を解決するための手段】
【０００９】
上記の課題を解決するための本考案の手段は、厚さ３が８〜３０ｃｍ、長さ４が１９０〜２１０ｃｍ、幅５が９０〜１１０ｃｍの独立気泡のポリエチレン発泡体からなる上下面対称の板状体２から形成され、板状体２の周辺部の端から７〜９ｍｍの位置の上下に貫通の複数個のロープ径大の孔９を均等間隔に配設し、この複数個の孔９に手で握り得る太さのロープ１０を手で握り得る余裕を持たせて上下交互に通して順次張りめぐらして形成したことを特徴とする板状体２からなる水上運動用遊具１である。この場合、ロープ１０はそのままでも良いが、塩ビのパイプに通したものとしてもよい。
【００１０】
さらに、独立気泡のポリエチレン発泡体からなる上下面対称の板状体２は単一層の硬さのハードタイプの発泡体６あるいはミディアムタイプの発泡体７から形成したことを特徴とする上記の手段の板状体２からなる水上運動用遊具１である。
【００１１】
さらに、独立気泡のポリエチレン発泡体からなる上下面対称の板状体２は、上下面側の表層１１を硬さがソフトタイプの発泡体８から形成し、中間層１２を硬さがハードタイプの発泡体６あるいは硬さがミディアムタイプの発泡体７から形成した三層構造の複合体１３からなることを特徴とする上記の手段の板状体２からなる水上運動用遊具１である。
【００１２】
これらの独立気泡のポリエチレン発泡体からなる上下面対称の板状体２は角部が面取り部１４に形成されていることを特徴とする上記の手段の板状体２からなる水上運動用遊具１である。
【考案の効果】
【００１３】
本考案のポリエチレン発泡体の板状体からなる水上運動用遊具は、塩ビの袋体を空気で膨らせた浮き具と異なり、形状が局部的に容易に凹むなどの変形をすることなく、十分な浮力を有し、さらに剛体であり、特に複合体からなるものは強度のみでなく、しなりも自由にでき、かつ、一人で運搬できる重さのものである。この板状体の周辺部には手で握り得るロープを有するので掴まって遊泳でき、さらに剛体であるので上に乗ることもでき、熟練を要せずに使用できるなど、本考案の水上運動用遊具は従来にない優れた効果を奏するものである。
【考案を実施するための最良の形態】
【００１４】
本考案の実施の形態を、図面を参照しながら説明する。この考案の水上運動用遊具１はポリエチレン発泡体の板状体２から形成されている。このポリエチレン発泡体の板状体２は、図１に示すように、その厚さ３が８〜３０ｃｍで、長さ４が１９０〜２１０ｃｍで、幅５が９０〜１１０ｃｍの大きさからなる。この発泡体はポリエチレンからなり、発泡体を形成する気泡はそれぞれの気泡が独立して内部に気体を内包している独立気泡からなるポリエチレン発泡体である。したがって、吸水しないので浮力が保持され、減少することはない。この板状体２は上下面が対称に形成されている。さらに、板状体２の各上下面の周辺部には、端から７〜９ｃｍ内部に入った位置、図２の場合は８ｃｍ入った位置にロープ径大の孔９を上下に貫通して有する。すなわち、これらの孔９は図３の（ｂ）に示すように、板状体２の上面から下面に貫通されている。さらに、図２に示すように、このロープ径大の孔９は、例えば、孔９に通すロープ１０の太さが２０ｍｍのものである場合には、２１〜２３ｍｍ径の大きさである。この場合、ロープ１０はそのままでも良いが、軟性の塩ビの厚さ１ｍｍ前後のパイプに通したものとしてもよい。この孔９は板状体２の周辺部に均等に例えば２６ｍｍ毎の間隔を置いて複数個が配設されている。すなわち、上記の板状体２の大きさの場合は、長さ４の長辺に角部の孔９も含めた８個の孔９が、幅５の短辺に角部の孔９も含めて４個の孔９が設けられている。
【００１５】
これらの孔９には、図３の（ａ）に示すように、手で握り得る太さの、例えば、径２０ｍｍのロープ１０が手で握り得る余裕を持たせて板状体２から浮いた状態として上下交互に孔９に通して縫うように板状体２の周辺部に張りめぐらされている。この場合、この孔９に通すロープ１０はナイロン（商標）などの吸水しない軽くて丈夫なものとする。以上の構成が第１の考案の実施の形態の板状体２からなる水上運動用遊具１である。
【００１６】
さらに、第２の考案の実施の形態の板状体２からなる水上運動用遊具１について説明する。この板状体２からなる水上運動用遊具１は、上記の第１の考案の実施の形態の構成において、独立気泡のポリエチレン発泡体からなる上下面対称の板状体２が単一層の硬さのハードタイプの発泡体６あるいはミディアムタイプの発泡体７から形成した板状体２からなるものである。その他の構成は上記の第１の実施の形態の構成と同様の水上運動用遊具１である。
【００１７】
さらに、第３の考案の実施の形態の板状体２からなる水上運動用遊具１について説明する。この板状体２からなる水上運動用遊具１は、上記の第１の考案あるいは第２の考案の各実施の形態において、独立気泡のポリエチレン発泡体からなる上下面対称の板状体２が、図４に示すように、上下面側の表層１１を硬さがソフトタイプの発泡体８から形成し、中間層１２を硬さがハードタイプの発泡体６あるいは硬さがミディアムタイプの発泡体７から形成した三層構造の複合体１３からなるものである。すなわち、その構造を模式的に示す図４で説明すると、例えば上下面側の表層１１が厚さ３ｃｍのソフトタイプの発泡体８からなり、中間層１２が厚さ８ｃｍのハードタイプの発泡体６からなる一体物で、これらは、硬さの異なる上記の素材から熱処理によりサンドイッチ状に融着結合された板状体２からなる水上運動用遊具１である。
【００１８】
さらに、第４の考案の実施の形態の板状体２からなる水上運動用遊具１について説明する。この板状体２からなる水上運動用遊具１では、これらの独立気泡のポリエチレン発泡体からなる上下面対称の板状体２は、図５の角部の部分を示す平面図に見られるように、その角部が面取り部１４として、例えば、縦および横の部分が２ｃｍ程カットされて斜めに形成されているものである。その他の構成は、上記の各考案の実施の形態と同様である。上記のように面取り部１４を板状体２の角部に形成することで、使用者の身体を疵つけたり、あるいは、板状体２の角部が欠け落ちたりすることが防止できる。この面取り部１４は、この実施の形態のように直線的に斜めにカットする以外に、さらに半円状にカットすることもできる。以上に説明したように、この第４の考案の実施の形態の面取り部１４は上記の第１〜第４の考案の全ての手段の板状体２に適用でき、面取り部１４を有する板状体２からなる水上運動用遊具１とすることができる。
【００１９】
ところで、本考案の板状体２からなる水上運動用遊具１は、単に１つの板状体２からなるもので使用するとは限らす、板状体２からなる水上運動用遊具１の複数を、例えば、鋼鉄製やジュラルミン製の楕円形の輪からなり、スプリングで開閉できる登山用具のカラビナなどを利用してあるいはロープにより、それらの板状体２のロープ１０の部分どうしを結合することにより、より大きな板状体２からなる水上運動用遊具１とすることができ、同時に多人数で使用することができるようになる。また、単に水上運動用遊具１とするのみでなく、ボートなどやヨットに載置しておくことで、大きな場所をとること無く、事故時の救命用具としても活用できる。
【図面の簡単な説明】
【００２０】
【図１】本考案の板状体からなる水上運動用遊具を示す斜視図である。
【図２】本考案の板状体の平面図である。
【図３】上記の板状体にロープを設けた水上運動用遊具で、（ａ）は平面図で、（ｂ）は側面図である。
【図４】本考案の三層構造の板状体を幅方向から見た模式図である。
【図５】本考案の板状体の角部の面取り部を示す部分平面図である。
【符号の説明】
【００２１】
１  水上運動用遊具
２  板状体
３  厚さ
４  長さ
５  幅
６  ハードタイプの発泡体
７  ミディアムタイプの発泡体
８  ソフトタイプの発泡体
９  孔
１０  ロープ
１１  表層
１２  中間槽
１３  複合体
１４  面取り部
【図１】
0003119335.tif 000003
【図２】
0003119335.tif 000004
【図３】
0003119335.tif 000005
【図４】
0003119335.tif 000006
【図５】
0003119335.tif 000007